(57)【要約】【課題】長時間に渡る筆記をしても、指や腕が疲れることを抑制する筆記部材のグリップおよび筆記具を提供することを目的とする。【解決手段】グリップ３は、本体部１０と、本体部１０に設けられた筆記可能な筆記部材２を保持する保持部２０を備えている。本体部１０は、多角柱（四角柱３０）の底面に対応する位置に配置された第１面１１および第２面１２と、第１面１１および第２面１２を繋ぎ、多角柱の側面に対応する位置に配置された複数の側面部１３と、多角柱の各頂点Ｔに対応する位置から突出する突出部４０とを有している。突出部４０は、本体部１０の中心Ｃから離れる方向に突出している。互いに隣り合う２つの側面部１３の間の稜線であって、互いに隣り合う２つの突出部４０を繋ぐ第１稜線Ｓ１は、中央部が本体部１０の中心へ向けて凹む曲線である。【選択図】図１
2019081256.tif 000002
【特許請求の範囲】
【請求項１】
多角柱の底面に対応する位置に配置された第１面および第２面と、前記第１面および前記第２面を繋ぎ、前記多角柱の側面に対応する位置に配置された複数の側面部と、前記多角柱の各頂点に対応する位置から突出する突出部とを有する本体部と、
前記本体部に設けられ、筆記可能な筆記部材を保持する保持部と、を備え、
前記突出部は、前記本体部の中心から離れる方向に突出し、
互いに隣り合う２つの側面部の間の稜線であって、互いに隣り合う２つの前記突出部を繋ぐ第１稜線は、中央部が前記本体部の中心へ向けて凹む曲線であることを特徴とするグリップ。
【請求項２】
前記複数の側面部は、それぞれ、中央部に凹んだ曲面を有することを特徴とする請求項１に記載のグリップ。
【請求項３】
前記第１面と前記側面部の間の稜線であって、互いに隣接する２つの前記突出部を繋ぐ第２稜線は、それぞれ、中央部が前記本体部の中心へ向けて凹む曲線であり、
前記第２面と前記側面部の間の稜線であって、互いに隣接する２つの前記突出部を繋ぐ第３稜線は、それぞれ、中央部が前記本体部の中心へ向けて凹む曲線であることを特徴とする請求項１または請求項２に記載のグリップ。
【請求項４】
前記第１面および前記第２面は、中央部に凹んだ曲面を有することを特徴とする請求項１から請求項３のいずれか１項に記載のグリップ。
【請求項５】
前記保持部は、前記筆記部材が前記第１面から突出するように設けられ、
前記第１面は、前記筆記部材に沿って突出する円錐形状または角錐形状を有することを特徴とする請求項１から請求項３のいずれか１項に記載のグリップ
【請求項６】
前記保持部は、前記筆記部材が前記本体部を貫通するように配置されていることを特徴とする請求項１から請求項５のいずれか１項に記載のグリップ。
【請求項７】
請求項１から請求項６のいずれか１項に記載のグリップと、前記保持部に保持された前記筆記部材とを備えることを特徴とする筆記具。
【請求項８】
前記本体部は、他の筆記具の筆記部材の先端を受け入れる穴を有することを特徴とする請求項７に記載の筆記具。
【請求項９】
前記穴に前記他の筆記具の筆記部材の先端を受け入れたとき、前記第１面の周囲の隣り合う前記突出部の間に、前記他の筆記具の本体部の突出部が位置することを特徴とする請求項８に記載の筆記具。
【請求項１０】
筆記部材と、当該筆記部材を保持する本体部とを備える筆記具であって、
前記本体部は、多角柱の側面に対応する位置に配置された側面部と、前記多角柱の各頂点に対応する位置から突出する突出部とを有し、
前記突出部は、前記筆記部材の軸線から離れる方向に突出し、
互いに隣り合う２つの側面部の間の稜線であって、互いに隣り合う２つの前記突出部を繋ぐ第１稜線は、中央部が前記筆記部材の軸線へ向けて凹む曲線であることを特徴とする筆記具。
【発明の詳細な説明】
【技術分野】
【０００１】
本発明は、筆記部材のグリップおよび筆記具に関する。
【背景技術】
【０００２】
特許文献１では、ボールペンなどの筆記部材に挿通して使用するグリップが開示されている。このグリップは、指先の形によくなじむ形状の凹みを設けることで、筆記する際に、腕や肩の負担を軽減することができる。
【先行技術文献】
【特許文献】
【０００３】
【特許文献１】実開平５−０９１８８５号公報
【発明の概要】
【発明が解決しようとする課題】
【０００４】
しかしながら、特許文献１の技術では、グリップをしっかりと持って筆記することを前提としているため、長時間に渡り筆記をすると、依然として指や腕が疲れてしまうという問題点がある。
【０００５】
そこで、本発明は、長時間に渡る筆記をしても、指や腕が疲れることを抑制する筆記部材のグリップおよび筆記具を提供することを目的とする。
【課題を解決するための手段】
【０００６】
前記した目的を達成するため、本発明のグリップは、本体部と、本体部に設けられた筆記可能な筆記部材を保持する保持部を備えている。本体部は、多角柱の底面に対応する位置に配置された第１面および第２面と、第１面および第２面を繋ぎ、多角柱の側面に対応する位置に配置された複数の側面部と、多角柱の各頂点に対応する位置から突出する突出部とを有している。突出部は、本体部の中心から離れる方向に突出している。互いに隣り合う２つの側面部の間の稜線であって、互いに隣り合う２つの突出部を繋ぐ第１稜線は、中央部が本体部の中心へ向けて凹む曲線である。
【０００７】
このように構成されたグリップによれば、グリップをしっかりと持たなくても筆記することが可能なため、長時間に渡る筆記をしても指や腕が疲れることを抑制できる。
【０００８】
前記したグリップにおいて、複数の側面部は、それぞれ、中央部に凹んだ曲面を有してもよい。
【０００９】
これによれば、グリップを保持したときには、グリップがずれにくくなり、安定して保持することができる。
【００１０】
前記したグリップにおいて、第１面と側面部の間の稜線であって、互いに隣接する２つの突出部を繋ぐ第２稜線は、それぞれ、中央部が本体部の中心へ向けて凹む曲線であってもよい。また、第２面と側面部の間の稜線であって、互いに隣接する２つの突出部を繋ぐ第３稜線は、それぞれ、中央部が本体部の中心へ向けて凹む曲線であってもよい。
【００１１】
これによれば、グリップを保持する指が、第２稜線Ｓ２および第３稜線Ｓ３と接触するため、さらに安定して保持することができる。
【００１２】
前記したグリップにおいて、第１面および第２面は、中央部に凹んだ曲面を有してもよい。
【００１３】
前記したグリップにおいて、保持部は、筆記部材が第１面から突出するように設けられ、第１面は、筆記部材に沿って突出する円錐形状または角錐形状を有してもよい。
【００１４】
これによれば、保持部と筆記部材との接触面積が増えて、筆記部材の保持が安定する。
【００１５】
前記したグリップにおいて、保持部は、筆記部材が本体部を貫通するように配置されていてもよい。
【００１６】
これによれば、筆記部材を交換するときに、筆記部材を取出しやすい。
【００１７】
前記した目的を達成するため、本発明の筆記具は、前記したグリップと、保持部に保持された筆記部材とを備える。
【００１８】
前記した筆記具において、本体部は、他の筆記具の筆記部材の先端を受け入れる穴を有してもよい。
【００１９】
これによれば、筆記具を他の筆記具と連結することができる。
【００２０】
前記した筆記具において、穴に他の筆記具の筆記部材の先端を受け入れたとき、第１面の周囲の隣り合う突出部の間に、他の筆記具の本体部の突出部が位置する構成としてもよい。
【００２１】
これによれば、連結した２つの筆記具をコンパクトに携帯することができる。
【００２２】
前記した目的を達成するため、本発明の筆記具は、筆記部材と、筆記部材を保持する本体部とを備える筆記具であって、本体部は、多角柱の側面に対応する位置に配置された側面部と、多角柱の各頂点に対応する位置から突出する突出部とを有している。突出部は、筆記部材の軸線から離れる方向に突出している。互いに隣り合う２つの側面部の間の稜線であって、互いに隣り合う２つの突出部を繋ぐ第１稜線は、中央部が筆記部材の軸線へ向けて凹む曲線である。
【００２３】
このように構成された筆記具によれば、グリップをしっかりと持たなくても筆記することが可能なため、長時間に渡る筆記をしても指や腕が疲れることを抑制できる。
【発明の効果】
【００２４】
本発明によれば、長時間に渡る筆記をしても指や腕が疲れることを抑制できる。
【図面の簡単な説明】
【００２５】
【図１】本発明の第１実施形態に係る筆記具を示す斜視図（ａ）と、グリップの形状を説明する図（ｂ）である。
【図２】図１におけるＸ−Ｘ断面図（ａ）と、図２（ａ）のＹ−Ｙ断面図（ｂ）およびＺ−Ｚ断面図（ｃ）である。
【図３】筆記具を２本の指で持つときの持ち方を示す斜視図である。
【図４】筆記具を３本の指で持つときの持ち方を示す斜視図である。
【図５】第２実施形態の筆記具を示す斜視図（ａ）と、第２実施形態の筆記具を連結させた状態を横から見た図（ｂ）と軸方向から見た図（ｃ）である。
【図６】第３実施形態の筆記具を示す斜視図である。
【図７】第４実施形態の筆記具を横から見た図である。
【図８】第５実施形態の筆記具を横から見た図である。
【図９】第６実施形態の筆記具を示す斜視図である。
【図１０】第７実施形態の筆記具を示す斜視図（ａ）と、第８実施形態の筆記具を示す斜視図（ｂ）である。
【発明を実施するための形態】
【００２６】
本発明の第１実施形態に係る筆記具について、適宜図面を参照しながら詳細に説明する。
図１（ａ）に示すように、筆記具１は、筆記部材２とグリップ３からなる。筆記部材２は、例えば、ボールペンなどの筆記可能な部材である。グリップ３はゴムからなる。
【００２７】
図１（ｂ）に示すように、グリップ３は、本体部１０と、筆記部材２を保持する保持部２０とを備えている。
【００２８】
本体部１０は、多角形の一例としての四角柱３０を変形させたような形をしている。四角柱３０は、対向する２つの底面と、各底面を繋ぐ４つの側面から構成されている。
【００２９】
本体部１０は、四角柱３０の各底面に対応した位置に第１面１１および第２面１２が配置されている。また、本体部１０は、四角柱３０の４つの側面に対応した位置に４つの側面部１３（図１（ｂ）では２つのみ図示）が配置されている。そして、本体部１０は、四角柱３０の各頂点Ｔに対応する位置から突出する８つの突出部４０（図１（ｂ）では７つのみ図示）を有している。突出部４０は、本体部１０の中心Ｃから離れる方向に突出している（図２（ｃ）参照）。突出部４０の先端は、丸みを帯びた形状をしている。
【００３０】
図２（ａ）に示すように、４つの側面部１３は、各面の中央部に、本体部１０の中心Ｃに向けて凹んだ曲面を有している。
【００３１】
図２（ｂ）に示すように、第１面１１および第２面１２は、各面の中央部に、本体部１０の中心Ｃに向けて凹んだ曲面を有している。
【００３２】
保持部２０は、本体部１０に設けられた穴からなる。保持部２０は、第１面１１の中央から第２面１２の中央に向かって、第１面１１と直交する方向に延びている。なお、保持部２０は、本体部１０を貫通していてもよい。
【００３３】
図２（ｃ）に示すように、本体部１０の互いに隣り合う２つの側面部１３の間には、第１稜線Ｓ１が形成されている（図１（ａ）参照）。第１稜線Ｓ１は、互いに隣り合う２つの突出部４０を繋いでいる。第１稜線Ｓ１は、それぞれ、中央部が本体部１０の中心Ｃへ向けて凹む曲線である。
【００３４】
図１（ａ）に示すように、第１面１１と４つの側面部１３の間には、第２稜線Ｓ２が形成されている。第２稜線Ｓ２は、互いに隣接する２つの突出部４０を繋いでいる。第２稜線Ｓ２は、それぞれ、中央部が本体部１０の中心Ｃへ向けて凹む曲線である。
【００３５】
第２面１２と４つの側面部１３の間には、第３稜線Ｓ３が形成されている。第３稜線Ｓ３は、互いに隣接する２つの突出部４０を繋いでいる。第３稜線Ｓ３は、それぞれ、中央部が本体部１０の中心Ｃへ向けて凹む曲線である。
【００３６】
以上のような本実施形態の筆記具１の使用方法について以下に説明する。
筆記具１を使用するときは、例えば、図３に示すように、人差し指と中指の２本の指で挟んで持つことにより筆記する。
詳しくは、人差し指の第１関節を側面部１３の凹んだ曲面に沿って接触させ、中指の第１関節を人差し指と接触する側面部１３と反対側の側面部１３の凹んだ曲面に沿って接触させる。すると、人差し指が第２稜線Ｓ２と第３稜線Ｓ３に接触し、中指が第２稜線Ｓ２と第３稜線Ｓ３に接触する。
各突出部４０は、使用者の人差し指と中指に接触する。特に、第１面１１に近い各突起４０は、人差し指と中指に引っ掛かるように接触する。このため、使用者は、筆記部材２のペン先に力を加えやすい。
また、筆記具１は、中指と薬指の間や、薬指と小指の間に挟んで持つこともできる。そして、人差し指と中指の間に加えて、中指と薬指の間や、薬指と小指の間に筆記具１を同時に持つことで、複数の筆記具１を同時に保持することもできる。
【００３７】
また、筆記具１は、図４に示すように、親指、人差し指および中指の３本の指で持つことにより筆記することもできる。
詳しくは、親指の腹を側面部１３の凹んだ曲面に接触させ、人差し指の腹を筆記部材２と接触させ、人差し指の第１関節を第２稜線Ｓ２に合わせて接触させ、中指の第２関節が親指と接触する側面部１３と反対側の側面部１３の凹んだ曲面に接触させる。
このように筆記具１を持つと、各突出部４０は使用者の各指に接触する。特に、第１面１１に近い各突起４０は、各指に引っ掛かるように接触する。このため、使用者は、筆記部材２のペン先に力を加えやすい。
【００３８】
以上のような本実施形態の筆記具１によれば、以下のような効果を得ることができる。
【００３９】
一般的な筆記具は、親指と人差し指と中指の三本に指で保持し、筆記具のグリップをしっかりと握って筆記する必要がある。このため、筆記具を保持するためには、ある程度の握力が必要であり、長時間に渡り筆記をすると、指や腕が疲れてしまう。
しかし、本願発明の筆記具１によれば、突起４０が引っ掛かるように使用者の指と接触するので、持ち方によらず、ほとんど握力を使わずに筆記することができる。このため、長時間に渡る筆記をしても指や腕が疲れることを抑制できる。また、握力の弱い子供や高齢者も容易に筆記することができる他、利き腕でない方の手でも筆記しやすい。
【００４０】
また、筆記具１を保持したときには、人差し指と中指の第１関節が側面部１３の凹んだ曲面に接触するため、筆記具１と各指の接触面積が大きくなる。このため、筆記具１が各指からずれにくくなり、安定して保持することができる。そして、筆記具１を保持する各指は、第２稜線Ｓ２および第３稜線Ｓ３と接触するため、さらに安定して保持することができる。
【００４１】
また、人差し指と中指の間に加えて、中指と薬指の間や、薬指と小指の間に筆記具１を持つことで、複数の筆記具１を同時に保持することができるので、例えば、違う色の筆記部材２を保持した筆記具１を持ち替えることなく使用することができる。
【００４２】
また、筆記具１は、３本の指で持つ持ち方をしても保持が安定するため、非常に長い時間の筆記をする場合には、時々、持ち方を変えることにより、指や腕が疲れることを抑制できる。
【００４３】
［第２実施形態］
次に、本発明の第２実施形態について説明する。図５に示す第２実施形態に係る筆記具１００は、第１実施形態の筆記具１に対して、２つの筆記部材を連結可能な構成であることが異なる。第２実施形態においては、第１実施形態と異なる点についてのみ説明し、同様の部分については図面に同じ符号を付して説明を省略する。
【００４４】
図５（ａ）に示すように、筆記具１００の本体部１１０は、他の筆記具２００の筆記部材２０２の先端を受け入れる穴１２１を有している。筆記部材１０２を保持する保持部１２０は、第１面１１１の中心１１１Ｃから突出部１４０のうちの１つの近くにずれて配置されている。穴１２１は、第１面１１１の中心１１１Ｃを挟んで保持部１２０とは反対側にずれて配置されている。すなわち、保持部１２０と穴１２１は、第１面１１１を正面から見て（筆記部材１０２の軸線方向から見て）、第１面１１１の対角に位置する２つの突出部１４０を結ぶ線Ｌ１上に配置されている（図５（ｃ）参照）。
【００４５】
他の筆記具２００の本体部２１０は、筆記具１００の筆記部材１０２の先端を受け入れる穴２２１を有している。筆記部材２０２を保持する保持部２２０は、第１面２１１の中心２１１Ｃから第２稜線Ｓ２の１つの近くにずれて配置されている。穴２２１は、第１面２１１の中心２１１Ｃを挟んで保持部２２０とは反対側にずれて配置されている。すなわち、保持部２２０と穴２２１は、第１面２１１を正面から見て（筆記部材２０２の軸線方向から見て）、第１面２１１の対角に位置する２つの突出部２４０を結ぶＬ２に対して所定角度、ここでは一例として４５°ずれた方向に並んでいる（図５（ｃ）参照）。
筆記具２００の保持部２２０と穴２２１の間隔は、筆記具１００の保持部１２０と穴１２１の間隔と同じになっている。
【００４６】
このような構成の２つの筆記具１００，２００によれば、図５（ｂ）に示すように、筆記具１００の穴１２１に筆記具２００の筆記部材２０２の先端を挿入し、筆記具２００の穴２２１に筆記具１００の筆記部材１０２の先端を挿入することで、筆記具１００と筆記具２００を連結することができる。このように、２つの筆記具１００，２００を連結させることで、連結した相手の筆記具１００，２００のグリップ１０３，２０３が、筆記部材１０２，２０２のキャップとして機能するので、携帯して持ち運んだときに、意図しない場所を汚すことを防ぐことができる。
【００４７】
そして、筆記具１００は、２つの突出部１４０を結ぶ線Ｌ１上に保持部１２０と穴１２１が配置されているのに対し、筆記具２００は、第１面２１１の対角に位置する２つの突出部２４０を結ぶＬ２に対して４５°ずれた方向に保持部２２０と穴２２１が並んでいるので、筆記部材１００の穴１２１に他の筆記具２００の筆記部材２０２の先端を受け入れたとき、図５（ｃ）に示すように、第１面１１１の周囲の隣り合う突出部１４０の間に、他の筆記具２００の本体部２１０の突出部２４０が位置する。このため、連結した２つの筆記具１００，２００をコンパクトに携帯することができる。
【００４８】
また、各筆記具１００，２００の保持部１２０，２２０および穴１２１，２２１は、本体部１１０，２１０を貫通していてもよい。この場合、筆記具１００は、複数個の他の筆記具を連結させることができる。
【００４９】
［第３実施形態］
次に、本発明の第３実施形態について説明する。図６に示す第３実施形態に係る筆記具３００は、第１実施形態の筆記具１に対して、保持部が本体部の突出部に設けられていることが異なる。第３実施形態においては、第１実施形態と異なる点についてのみ説明し、同様の部分については図面に同じ符号を付して説明を省略する。
【００５０】
図６に示すように、第３実施形態の筆記具３００は、保持部３２０が突出部４０に設けられている。保持部３２０は、突出部４０の先端から本体部１０の中心に向かって延びている。なお、保持部３２０は、本体部１０を貫通していてもよい。
保持部３２０が突出部４０の設けられることで、保持部３２０が筆記部材２と接触する面積が増えるので、保持部３２０に保持された筆記部材２の保持が安定する。このため、筆記中において、筆記部材２が安定するので、筆記しやすい。
【００５１】
［第４実施形態］
次に、本発明の第４実施形態について説明する。図７に示す第４実施形態に係る筆記具４００は、第１実施形態の筆記具１に対して、保持部の延びる方向が異なる。第４実施形態においては、第１実施形態と異なる点についてのみ説明し、同様の部分については図面に同じ符号を付して説明を省略する。
【００５２】
図７に示すように、第４実施形態の筆記部材４００では、筆記部材２を保持する保持部４２０が第１面と直交する方向に対して斜めに延びている。なお、保持部４２０は、本体部１０を貫通していてもよい。
保持部４２０が斜めに延びているので、４つある側面部１３の中から人差し指と接触する面を選択することで、筆記具２のペン先の位置を４通りに変更できる。このため、使用者の好みにあったペン先の位置で筆記することができる。
【００５３】
［第５実施形態］
次に、本発明の第５実施形態について説明する。図８に示す第５実施形態に係る筆記具５００は、第１実施形態の筆記具１に対して、第１面および第２面の形状と、保持部が本体部を貫通していることが異なる。第５実施形態においては、第１実施形態と異なる点についてのみ説明し、同様の部分については図面に同じ符号を付して説明を省略する。
【００５４】
図８に示すように、第５実施形態の筆記具５００では、第１面５１１および第２面５１２が本体部５１０の中心Ｃから離れる方向に突出している。筆記具５００の保持部５２０は、筆記部材５０２が第１面５１１から突出するように設けられている。第１面５１１は、筆記部材５０２に沿って突出する円錐形状または角錐形状を有する。また、保持部５２０は、筆記部材５０２が本体部５１０を貫通するように配置されている。
第１面５１１および第２面５１２が中心Ｃから離れる方向に突出しているため、保持部５２０と筆記部材５０２との接触面積が増えて、筆記部材５０２の保持が安定する。また、保持部材５２０が本体部５１０から貫通していることで、筆記部材５０２を交換するときに、筆記部材５０２を取出しやすい。
【００５５】
［第６実施形態］
次に、本発明の第６実施形態について説明する。図９に示す第６実施形態に係る筆記具６００は、第１実施形態の筆記具１に対して、基準となる多角柱の形状が異なる。第６実施形態においては、第１実施形態と異なる点についてのみ説明し、同様の部分については図面に同じ符号を付して説明を省略する。
【００５６】
図９に示すように、第６実施形態における筆記具６００の本体部６１０は、三角柱６３０の各頂点に対応する位置から、本体部６１０の中心から離れる方向に突出する突出６４０を有している。
このような形態によれば、親指と人差し指と中指の３本の指で筆記具６００を持つ使用者が持ちやすい。
【００５７】
［第７実施形態］
次に、本発明の第７実施形態について説明する。図１０（ａ）に示す第７実施形態に係る筆記具７００は、第１実施形態の筆記具１に対して、他の形状をしたグリップをさらに備える点が異なる。第７実施形態においては、第１実施形態と異なる点についてのみ説明し、同様の部分については図面に同じ符号を付して説明を省略する。
【００５８】
図１０（ａ）に示すように、第７実施形態における筆記具７００は、グリップ３の他に、第２グリップ４と、第３グリップ５と、第４グリップ６とを備えている。第２グリップ４は、筆記部材７０２の先端に近づくにつれて細くなる四角柱の形状を有している。第３グリップ５は、立方体形状を有している。第４グリップ６は、側面がひょうたんのようにくびれた凹部６Ａを有する円柱の形状を有している。それぞれのグリップには、筆記部材７０２を保持する穴が設けられおり、それぞれ筆記部材７０２を保持している。
【００５９】
また、筆記具７００のグリップ４とグリップ５は省略することができる。例えば、図１０（ｂ）に示すように、筆記具８００は、筆記部材８０２のグリップとして、グリップ３と、第４グリップ６とを備えている。そして、筆記具８００の筆記部材８０２は、グリップ３および第４グリップ６を貫通している。
【００６０】
これらの形態によれば、筆記具７００，８００の長さが長いので、一般的な筆記具の持ち方をする使用者にとって持ちやすい。具体的には、筆記具７００，８００は、グリップ３を親指と人差し指と中指で握り、グリップ６の凹部６Ａを人差し指の付け根付近に接触させて持つことができる。この場合、凹部６Ａが人差し指の付け根付近にフィットするので、筆記具７００，８００を安定して持つことができる。
さらに、他の持ち方として、筆記具７００，８００は、グリップ３を人差し指と中指で挟んで持つこともできる。このとき、筆記具７００のグリップ５と、筆記部材８０２のうちグリップ３とグリップ６の間の部分とを人差し指と中指の又の部分にあてて支えるように持ってもよい。
さらに、他の持ち方として、グリップ６を人差し指と中指で挟み、親指と薬指でグリップ３を支える持ち方や、グリップ６を親指と人差し指で挟み、中指と薬指でグリップ３を支える持ち方など、筆記部７００，８００は、グリップ３とグリップ６を利用して多彩な持ち方が可能となっている。
なお、筆記具７００，８００においては、グリップ３、第２グリップ４、第３グリップ５および第４グリップ６は、順序を入れ替えて筆記具７０２，８０２にセットしてもよい。
また、筆記具８００においては、筆記部材８０２がグリップ３および第４グリップ６を貫通しているので、使用者はグリップ３および第４グリップ６の位置を使用者の手の大きさに合わせて調節し易い。
さらに筆記具８００において、グリップ３および第４グリップ６の位置を入れ替えてセットし、位置を調整する事で通常の筆記具の持ち方をした場合の補助グリップとして使用することもできる。
【００６１】
［第８実施形態］
次に、本発明の第８実施形態について説明する。図１０（ｃ）に示す第８実施形態に係る筆記具９００は、第７実施形態の筆記具７００に対して、他の形状をしたグリップが一体となっている点が異なる。第７実施形態においては、第７実施形態と異なる点についてのみ説明し、同様の部分については図面に同じ符号を付して説明を省略する。
【００６２】
図１０（ｃ）に示すように、第８実施形態の筆記具９００は、筆記部材９０２と、筆記部材９０２を保持する本体部９１０とを備える。本体部９１０は、多角柱９３０の側面に対応する位置に配置された側面部９１３と、多角柱９３０の各頂点Ｔに対応する位置から突出する突出部９４０とを有している。突出部９４０は、筆記部材９０２の軸線から離れる方向に突出している。互いに隣り合う２つの側面部１３の間の稜線であって、互いに隣り合う２つの突出部９４０を繋ぐ第４稜線Ｓ４は、中央部が筆記部材９０２の軸線へ向けて凹む曲線である。
このような形態によっても、筆記具９００の長さが長いので、一般的な筆記具の持ち方をする使用者にとって持ちやすい。また、筆記具７００と同様に他の持ち方をしても安定して持つことができる。
【００６３】
以上、本発明の実施形態について説明したが、本発明は前記実施形態に限定されるものではない。
【００６４】
前記実施形態では、本体部が多角柱の一例としての三角柱または四角柱を変形させたような形をしていることを例示したが、多角柱は、五角柱であってもよく、六角柱以上の多角柱であってもよい。
【００６５】
前記実施形態では、筆記部材がボールペンからなる構成としていたが、筆記部材は、鉛筆、シャープペン、各種サインペン、万年筆などであってもよい。
【００６６】
前記実施形態では、グリップがゴムからなる構成としていたが、グリップは、例えば、各種樹脂材料、金属、木材などであってもよい。また、グリップを消しゴム用のゴムからなる構成としてもよい。グリップを消しゴム用のゴムから構成した場合、突出部を使って細かい文字を容易に消すことができる。このとき、例えば、消しゴム用のゴムから構成されたグリップを中指と薬指の間に挟んで保持することにより、筆記具を持ったまま、別途用意した消しゴムに持ち替えることなく、文字を容易に消すことができる。
【００６７】
前記実施形態では、グリップを筆記具に使用する構成であったが、グリップ自体は、例えば、スプーン、フォーク、ナイフなどを保持することに使用することもできる。また、グリップは、箸、古代箸などに使用してもよい。
【００６８】
前記実施形態では、突出部の先端が丸みを帯びた形状をしていたが、突出部の先端は、尖っていてもよく、平面を有していてもよい。
【００６９】
また、前記した各実施形態及び各変形例の各要素は、任意に組み合わせて実施することが可能である。
【符号の説明】
【００７０】
３      グリップ
１０    本体部
１１    第１面
１２    第２面
１３    側面部
２０    保持部
３０    四角柱
４０    突出部
Ｃ      中心
Ｓ１    第１稜線
Ｔ      頂点
【図１】
2019081256.tif 000003
【図２】
2019081256.tif 000004
【図３】
2019081256.tif 000005
【図４】
2019081256.tif 000006
【図５】
2019081256.tif 000007
【図６】
2019081256.tif 000008
【図７】
2019081256.tif 000009
【図８】
2019081256.tif 000010
【図９】
2019081256.tif 000011
【図１０】
2019081256.tif 000012